(57)【特許請求の範囲】
【請求項１】
内燃機関の排気系に設けられ、排気管内の湿度を検出する湿度センサの状態を判定する湿度センサの状態判定装置であって、
前記内燃機関が所定の運転状態にあるか否かを判定する運転状態判定手段と、
前記内燃機関が前記所定の運転状態にあるときに検出された前記湿度センサの検出値に基づいて、当該検出値の変化状態を表す変化状態パラメータを算出する変化状態パラメータ算出手段と、
当該算出された変化状態パラメータに応じて、前記湿度センサの状態を判定する状態判定手段と、
を備えていることを特徴とする湿度センサの状態判定装置。
【請求項２】
前記排気系の前記湿度センサよりも上流側に、排気ガス中の炭化水素および水分を吸着可能な吸着材が設けられており、前記所定の運転状態が前記内燃機関の始動後であることを特徴とする、請求項１に記載の湿度センサの状態判定装置。
【請求項３】
前記湿度センサの劣化前の応答性に応じて判定値を設定する判定値設定手段をさらに備え、
前記状態判定手段は、前記変化状態パラメータと前記設定された判定値とを比較することによって、前記湿度センサの応答性の劣化を判定することを特徴とする、請求項１または２に記載の湿度センサの状態判定装置。
【請求項４】
前記劣化前の応答性が、前記湿度センサごとにあらかじめ検出され、当該検出された劣化前の応答性を表す応答性情報が、当該湿度センサに記憶されており、
前記判定値設定手段は、当該記憶された応答性情報に基づいて前記判定値を設定することを特徴とする、請求項３に記載の湿度センサの状態判定装置。
【発明の詳細な説明】
【０００１】
【発明の属する技術分野】
本発明は、内燃機関の排気系に設けられ、排気管内の湿度を検出する湿度センサの状態を判定する湿度センサの状態判定装置に関する。
【０００２】
【従来の技術】
本出願人は、この種の湿度センサの状態判定装置を、例えば特開２００１−３２３８１１号公報ですでに提案している。この湿度センサは、排気ガス中の炭化水素を吸着する吸着材の劣化を判定するために、その下流側に設けられたものである。この吸着材の劣化判定は、ゼオライトなどから成る吸着材が、炭化水素と同時に水分を吸着するという特性を有し、炭化水素および水分の吸着能力が互いに比例関係にあることから、吸着材を通過した後の排気ガスの湿度を湿度センサで検出することによって、吸着材の水分吸着能力の低下、すなわち吸着材の劣化を判定するものである。具体的には、エンジンの始動後、吸着材に水分を吸着されながら吸着材を通過した排気ガスの湿度が次第に上昇するのに伴い、湿度センサの検出湿度が所定値分だけ上昇するのに要する所定時間を、始動時の湿度などに応じて設定するとともに、検出湿度が上記所定値分だけ上昇するのに実際に要した時間を計測する。そして、この計測時間が上記所定時間よりも短いときには、検出湿度の上昇速度が速く、吸着材が劣化していると判定される。
【０００３】
また、上述したように吸着材の劣化判定が湿度センサの検出結果に基づいて行われるとともに、湿度センサは、その素子が高温の排気ガスに常時、晒されるために劣化しやすく、吸着材の劣化判定の精度に影響を及ぼすおそれがあることから、吸着材の劣化判定と併せて、湿度センサの故障判定（状態判定）が実行される。この湿度センサの故障判定は、吸着材への排気ガス中の炭化水素および水分の吸着が完了し、吸着材が飽和した状態において、湿度センサの検出値が高湿度側のほぼ一定の値で安定することに着目し、そのような飽和状態になったと推定されるタイミングで検出された湿度センサの検出湿度が所定値未満のときに、湿度センサが故障していると判別される。
【０００４】
【発明が解決しようとする課題】
しかし、上記の湿度センサの故障判定手法では、吸着材が飽和することでほぼ一定値に安定した状態で得られた湿度センサの検出湿度を、所定値と単純に比較しているにすぎない。このため、例えば、湿度センサが劣化したために、その応答性が低下していて、吸着材の吸着中における検出湿度の変化速度が実際には非常に遅くなっている場合でも、検出湿度が最終的に所定値に達するような場合には、湿度センサが正常と判定されてしまう。一方、前述したように、吸着材の劣化判定では、吸着中における湿度センサの検出湿度の上昇速度が速いときに劣化と判定される。このため、劣化により応答性の低下した湿度センサが吸着材の劣化判定に用いられた場合には、吸着中における検出湿度の上昇速度が遅くなることにより、実際には劣化している吸着材が劣化していないと誤判定されるおそれがあり、吸着材の劣化判定の精度が低下してしまう。
【０００５】
本発明は、このような課題を解決するためになされたものであり、湿度センサの応答性を含む状態を、センサ自身の検出結果から、精度良く判定することができる湿度センサの状態判定装置を提供することを目的とする。
【０００６】
【課題を解決するための手段】
この目的を達成するため、本願の請求項１に係る発明は、内燃機関１の排気系２に設けられ、排気管４内の湿度を検出する湿度センサ２２の状態を判定する湿度センサの状態判定装置であって、内燃機関１が所定の運転状態にあるか否かを判定する運転状態判定手段（実施形態における（以下、本項において同じ）ＥＣＵ２５、図３）と、内燃機関１が所定の運転状態にあるときに検出された湿度センサ２２の検出値（相対湿度ＶＨＵＭＤ）に基づいて、検出値の変化状態を表す変化状態パラメータ（相対湿度ＶＨＵＭＤ−基準値ＶＨＵＭＤ＿ＲＥＦ）を算出する変化状態パラメータ算出手段（ＥＣＵ２５、図４のステップ５０〜５２）と、算出された変化状態パラメータに応じて、湿度センサ２２の状態を判定する状態判定手段（ＥＣＵ２５、図４のステップ５２〜５４）と、を備えていることを特徴とする。
【０００７】
この湿度センサの状態判定装置によれば、内燃機関が所定の運転状態にあるときに検出された湿度センサの検出値に基づいて、検出値の変化状態を表す変化状態パラメータを算出し、算出された変化状態パラメータに応じて、湿度センサの状態が判定される。このように、変化状態パラメータは、内燃機関が所定の運転状態にある間に湿度センサで実際に検出された検出値の変化状況を反映するので、この変化状態パラメータに応じて、内燃機関の運転状態に応じた湿度センサの応答性を含む特性・状態を、適切に判定することができる。
【０００８】
請求項２に係る発明は、請求項１の湿度センサの状態判定装置において、排気系２の湿度センサ２２よりも上流側に、排気ガス中の炭化水素および水分を吸着可能な吸着材１６が設けられており、所定の運転状態が内燃機関１の始動後であることを特徴とする。
【０００９】
この構成によれば、排気ガス中の炭化水素および水分を吸着可能なゼオライトなどの吸着材が、排気系に設けられており、湿度センサはその下流側に配置されている。吸着材は、内燃機関の始動後には、排気ガス中に比較的多量に含まれる炭化水素および水分を吸着し、炭化水素が大気中に放出されるのを阻止する。始動後の初期においては、吸着材に吸着される水分の割合が高く、吸着材を通過する割合は低いため、湿度センサで検出される下流側の排気管内の湿度は低く、その後、吸着材への水分の吸着が進むにつれて、総吸着量が多くなり、吸着材を通過する水分の割合が高くなるため、下流側の排気管内の湿度が上昇する。このように、この構成では、内燃機関の始動後に、湿度センサで検出されるべき排気管内の湿度が大きな変化量で上昇するので、この始動後の期間に算出された変化状態パラメータに基づいて状態判定を実行することによって、湿度センサの応答性を含む特性・状態の判定を適切に精度良く行うことができる。また、その判定結果に応じて、吸着材の劣化判定を適切に行うことが可能になる。
【００１０】
また、請求項３に係る発明は、請求項１または２の湿度センサの状態判定装置において、湿度センサ２２の劣化前の応答性に応じて判定値（劣化判定値ＶＨＵＭＤ＿ＪＵＤ２）を設定する判定値設定手段（ＥＣＵ２５、図３のステップ３６）をさらに備え、状態判定手段は、変化状態パラメータと設定された判定値とを比較することによって、湿度センサの応答性の劣化を判定することを特徴とする。
【００１１】
この構成では、湿度センサの劣化前の応答性に応じて判定値を設定し、変化状態パラメータをこの判定値と比較することによって、湿度センサの応答性の劣化が判定される。このように、劣化前の応答性を表す判定値と変化状態パラメータを比較することによって、湿度センサの応答性の劣化をより適切に精度良く判定することができる。
【００１２】
請求項４に係る発明は、請求項３の湿度センサの状態判定装置において、劣化前の応答性が湿度センサ２２ごとにあらかじめ検出され、検出された劣化前の応答性を表す応答性情報（ラベル抵抗素子２３、ラベル抵抗値Ｒｎ）が、湿度センサ２２に記憶されており、判定値設定手段は、記憶された応答性情報に基づいて判定値を設定する（図３のステップ３６）ことを特徴とする。
【００１３】
この構成によれば、湿度センサごとにあらかじめ検出された劣化前の応答性を表す応答性情報が、各湿度センサに記憶されていて、この応答性情報に基づいて判定値が設定される。したがって、劣化前の応答性を表す判定値を、湿度センサが個体差として本来的に有する応答性のばらつきを反映させながら、適切に設定でき、それにより、湿度センサの応答性の劣化の判定を、センサごとにさらに精度良く行うことができる。
【００１４】
【発明の実施の形態】
以下、図面を参照しながら、本発明の好ましい実施形態を詳細に説明する。図１は、本発明の実施形態を適用した内燃機関を示している。この内燃機関（以下「エンジン」という）１の排気系２は、排気マニホルド３を介してエンジン１に接続された排気管４を有しており、この排気管４の途中には、排気ガスを浄化するために、２つの三元触媒５、５を有する触媒装置６、および炭化水素を吸着するための炭化水素吸着装置７が設けられている。触媒装置６の２つの三元触媒５、５は、排気管４に沿って互いに隣接して配置されており、所定温度（例えば３００℃）以上になって活性化された状態で、触媒装置６を通過する排気ガス中の有害物質（ＨＣ（炭化水素）、ＣＯおよびＮＯＸ）を、酸化・還元作用によって浄化する。
【００１５】
一方、炭化水素吸着装置７は、排気管４の触媒装置６よりも下流側に配置されており、三元触媒５、５が活性化していない冷間状態でのエンジン１の始動期間（例えば、始動時から約３０〜４０秒間）に、排気ガス中の炭化水素を吸着することによって、大気中に排出される炭化水素量を低減するためのものである。図１および図２に示すように、炭化水素吸着装置７は、排気通路切替装置８を介して、触媒装置６の下流端部に連結されており、ほぼ円筒状のケース１１と、このケース１１の内部に配置されたバイパス排気管１２と、このバイパス排気管１２の途中に配置され、バイパス排気管１２に流入した排気ガス中の炭化水素を吸着するための円柱状の吸着材１６とを備えている。
【００１６】
図２に示すように、ケース１１は、その上流端部が上下に二股に分かれており、上側の開口部１１ａが、ケース１１とバイパス排気管１２との間に形成された断面環状のメイン通路１３と連通する一方、下側の開口部１１ｂが、バイパス排気管１２の内部スペースであるバイパス通路１４と連通している。
【００１７】
バイパス排気管１２は、その上流端部がケース１１の下側の開口部１１ｂの内面に、下流端部がケース１１の下流端部の内面に、それぞれ気密状態で接続されている。また、バイパス排気管１２の下流端部には、長孔状の複数（例えば５個）の連通孔１２ａが、周方向に並んで形成されており、これらの連通孔１２ａを介して、メイン通路１３およびバイパス通路１４の下流端部同士が連通している。
【００１８】
吸着材１６は、表面にゼオライトを担持した金属製のハニカムコア（図示せず）で構成され、炭化水素とともに水分を吸着する特性を有していて、バイパス通路１４に流入した排気ガスが吸着材１６の内部を通過する際に、その排気ガス中の炭化水素および水分がゼオライトに吸着される。ゼオライトは、高耐熱性を有しており、低温状態（例えば１００℃未満）のときに炭化水素を吸着し、所定温度以上（例えば１００〜２５０℃）の状態のときに、吸着した炭化水素を脱離する。
【００１９】
排気通路切替装置８は、触媒装置６の下流側における排気ガスの通路を、三元触媒５の活性状態に応じて、上記メイン通路１３とバイパス通路１４とに選択的に切り替えるためのものである。この排気通路切替装置８は、ほぼ円筒状の連結管１８と、この連結管１８内に設けられた回動自在の切替バルブ１５とを有している。切替バルブ１５は、後述するＥＣＵ２５により制御される切替バルブ駆動装置１９（図１参照）によって駆動され、図２の実線位置に位置するときには、排気ガスの通路をメイン通路１３側に切り替えられる一方、２点鎖線位置に位置するときには、排気ガスの通路をバイパス通路１４側に切り替える。
【００２０】
また、連結管１８とエンジン１の吸気管１ａとの間には、排気ガスの一部をエンジン１に再循環させるためのＥＧＲ通路１７が連結されており、その途中にＥＧＲ制御弁２０が取り付けられている。このＥＧＲ制御弁２０をＥＣＵ２５で制御することによって、ＥＧＲの作動・停止およびＥＧＲ量が制御される。
【００２１】
以上の構成によれば、エンジン１の冷間始動直後には、排気通路切替装置８によって、排気ガスの通路がバイパス通路１４側に切り替えられ、それにより、触媒装置６を通過した排気ガスは、バイパス通路１４に導かれ、炭化水素が吸着材１６に吸着された後、大気中に排出される。その後、吸着材１６への炭化水素の吸着が完了したと判定されると、排気ガスの通路がメイン通路１３側に切り替えられることにより、排気ガスは、連結管１８を介してメイン通路１３に導かれ、大気中に排出される。また、ＥＧＲ制御弁２０が開弁してＥＧＲが作動することにより、排気ガスの一部がＥＧＲガスとして、バイパス通路１４およびＥＧＲ通路１７を介して、吸気管１ａに再循環される。吸着材１６から脱離した炭化水素は、このＥＧＲガスによって吸気管１ａに送られ、エンジン１で燃焼される。
【００２２】
また、炭化水素吸着装置７のケース１１には、吸着材１６の下流側に、湿度センサ２２が取り付けられている。図２に示すように、この湿度センサ２２は、センサ素子２２ａをケース１１内に臨むように取り付けるための本体部２２ｂと、本体部２２ｂから延びるハーネス部２２ｃと、その先端部に接続されたカプラ部２２ｄとによって構成されている。図８に示すように、このカプラ部２２ｄは、別のカプラ部２４ａおよびハーネス部２４ｂ、２４ｃを介して、ＥＣＵ２５に接続されている。また、センサ素子２２ａは、例えばアルミナやチタニアなどから成るポーラス体で構成されており、その抵抗値が細孔に吸着された水分の量に応じて変化するという特性を利用して、湿度を検出するタイプのものである。本実施形態では、このセンサ素子２２ａの抵抗値分の抵抗分圧（電圧）ＶＲを変換した後、温度で補正した相対湿度ＶＨＵＭＤが、湿度センサ２２の検出信号として、ハーネス部２４ｂを介してＥＣＵ２５に出力される。
【００２３】
また、図８に示すように、湿度センサ２２のカプラ部２２ｄには、ラベル抵抗素子２３（応答性情報）が設けられている。このラベル抵抗素子２３は、湿度センサ２２ごとにその出力特性（実際の相対湿度に対する出力値の傾き）を使用前（劣化前）の状態であらかじめ検出し、所定の複数（例えば１０個）の出力特性パターンのいずれに該当するかを定めるとともに、定めた出力特性パターンに対応する抵抗値を有する抵抗素子をカプラ部２２ｄに設けることで、その湿度センサ２２の劣化前の応答性情報として記憶させたものである。ラベル抵抗素子２３は、カプラ部２４ａおよびハーネス部２４ｃを介して、ＥＣＵ２５に接続されており、その抵抗値が、ＥＣＵ２５により、ラベル抵抗値Ｒｎ（例えばＲ１〜Ｒ１０）（応答性情報）として読み取られる。なお、ラベル抵抗素子２３をカプラ部２２ｄに設けたのは、エンジン１の排気系２に接触する本体部２２ｂと異なり、高温になることがないためである。
【００２４】
ＥＣＵ２５にはまた、エンジン水温センサ２３からエンジン水温ＴＷを表す信号が、吸気管内圧センサ２４から吸気管内圧ＰＢを表す信号が、クランク角センサ３２からパルス信号であるＣＲＫ信号が、それぞれ出力される。ＣＲＫ信号は、エンジン１の図示しないクランクシャフトの回転に伴い、所定のクランク角ごとに発生し、ＥＣＵ２５は、ＣＲＫ信号に基づいてエンジン１の回転数ＮＥを算出する。さらに、ＥＣＵ２５には、吸着材１６や湿度センサ２２が劣化していると判定したときに点灯する警告ランプ２６が接続されている。
【００２５】
ＥＣＵ２５は、本実施形態において、運転状態判定手段、変化状態パラメータ算出手段、状態判定手段および判定値設定手段を構成するものである。ＥＣＵ２５は、Ｉ／Ｏインターフェース、ＣＰＵ、ＲＡＭおよびＲＯＭなどから成るマイクロコンピュータで構成されている。上述した湿度センサ２２などのセンサからの検出信号はそれぞれ、Ｉ／ＯインターフェースでＡ／Ｄ変換や整形がなされた後、ＣＰＵに入力される。ＣＰＵは、これらの検出信号に応じ、ＲＯＭに記憶された制御プログラムなどに従って、エンジン１のインジェクタ２ａの燃料噴射時間Ｔｏｕｔや切替バルブ駆動装置１９、ＥＧＲ制御弁２０を制御するとともに、吸着材１６および湿度センサ２２の劣化判定を行う。
【００２６】
吸着材１６の劣化判定は、エンジンの始動後、吸着材１６による吸着中に湿度センサ２２で検出された相対湿度ＶＨＵＭＤに基づいて行われる。具体的には、例えば前述した特願２０００−３３８３７５号に記載されているように、相対湿度ＶＨＵＭＤが所定値分だけ上昇するのに要した時間を計測し、この計測時間が所定時間よりも短いときには、相対湿度ＶＨＵＭＤの上昇速度が速く、吸着材１６が劣化していると判定される。
【００２７】
次に、図３〜図５を参照しながら、湿度センサ２２の劣化判定処理について説明する。図３は、湿度センサ２２の劣化判定を実行するか否かを判断する処理を示している。この処理は、エンジン１の始動直後に１回のみ実行される。
【００２８】
本処理ではまず、ステップ３１（「Ｓ３１」と図示。以下同じ）において、エンジン水温ＴＷがその下限値ＴＷＳＮＳＬ（例えば０℃）以上でかつ上限値ＴＷＳＮＳＨ（例えば５０℃）以下であるか否かを判別する。この答がＮＯ、すなわち始動時のエンジン水温ＴＷが、上下限値ＴＷＳＮＳＬ／Ｈで規定される所定の範囲から外れているときには、湿度センサ２２の劣化判定の実行条件が成立していないとして、劣化判定許可フラグＦ＿ＭＣＮＤＳＮＳを「０」にセットし（ステップ３２）、本プログラムを終了する。
【００２９】
一方、前記ステップ３１の答がＹＥＳで、エンジン水温ＴＷが所定の範囲内にあるときには、劣化判定の実行条件が成立しているとして、劣化判定許可フラグＦ＿ＭＣＮＤＳＮＳを「１」にセットする（ステップ３３）。次いで、そのときに湿度センサ２２で検出された相対湿度ＶＨＵＭＤを、その最小値ＶＨＵＭＤ＿ＭＩＮおよび前回値ＶＨＵＭＤ＿ＰＲＥの各初期値として設定する（ステップ３４、３５）。
【００３０】
次に、後述する劣化判定値ＶＨＵＭＤ＿ＪＵＤ２（判定値）を、湿度センサ２２のラベル抵抗素子２３から読み取ったラベル抵抗値Ｒｎ（応答性情報）に応じて設定し（ステップ３６）、本プログラムを終了する。前述したように、ラベル抵抗値Ｒｎはその湿度センサ２２の劣化前の応答性を表すので、このステップ３６の実行により、各湿度センサ２２が個体差として本来的に有する応答性のばらつきを反映させながら、劣化判定値ＶＨＵＭＤ＿ＪＵＤ２をセンサごとに適切に設定することができる。
【００３１】
図４および図５は、上記の図３の処理による判定結果に従って実行される湿度センサ２２の劣化判定処理を示している。この処理は、所定時間（例えば１００ｍｓ）ごとに実行される。まず、劣化判定許可フラグＦ＿ＭＣＮＤＳＮＳが「１」であるか否かを判別し（ステップ４１）、その答がＮＯで、劣化判定の実行条件が成立していないときには、そのまま本プログラムを終了する。
【００３２】
前記ステップ４１の答がＹＥＳで、劣化判定の実行条件が成立しているときには、湿度センサ２２で今回、検出された相対湿度ＶＨＵＭＤが、その前回値ＶＨＵＭＤ＿ＰＲＥよりも小さいか否かを判別する（ステップ４２）。この答がＹＥＳで、ＶＨＵＭＤ＜ＶＨＵＭＤ＿ＰＲＥのときには、そのときの相対湿度ＶＨＵＭＤを最小値ＶＨＵＭＤ＿ＭＩＮとして設定する（ステップ４３）。このように、最小値ＶＨＵＭＤ＿ＭＩＮは、相対湿度ＶＨＵＭＤが前回時よりも低下しているときに随時、更新されるので、始動後に湿度センサ２２で検出された相対湿度ＶＨＵＭＤの最小値を表すことになる（例えば図６の時刻ｔ１）。前記ステップ４２の答がＮＯのとき、または前記ステップ４３の実行後には、ステップ４４に進み、今回の相対湿度ＶＨＵＭＤを前回値ＶＨＵＭＤ＿ＰＲＥにシフトする。
【００３３】
次いで、立上がり確定フラグＦ＿ＨＵＭＬ２Ｈが「１」であるか否かを判別する（ステップ４５）。この答がＮＯのときには、相対湿度ＶＨＵＭＤが、最小値ＶＨＵＭＤ＿ＭＩＮと所定の立上がり判定値ＶＨＵＭＤ＿ＪＵＤ１（例えば１０％）との和よりも大きいか否かを判別し（ステップ４６）、その答がＮＯのときには、相対湿度ＶＨＵＭＤがまだ十分に立ち上がっていないとして、立上がり確定フラグＦ＿ＨＵＭＬ２Ｈを「０」にセットし（ステップ４７）、本プログラムを終了する。
【００３４】
一方、前記ステップ４６の答がＹＥＳで、ＶＨＵＭＤ＞ＶＨＵＭＤ＿ＭＩＮ＋ＶＨＵＭＤ＿ＪＵＤ１が成立したとき、すなわち相対湿度ＶＨＵＭＤが、最小値ＶＨＵＭＤ＿ＭＩＮから立上がり判定値ＶＨＵＭＤ＿ＪＵＤ１以上、上昇したとき（図６の時刻ｔ２）には、相対湿度ＶＨＵＭＤが十分に立ち上がり、安定的に上昇する状態になったとして、立上がり確定フラグＦ＿ＨＵＭＬ２Ｈを「１」にセットする（ステップ４８）。次いで、最小値ＶＨＵＭＤ＿ＭＩＮと立上がり判定値ＶＨＵＭＤ＿ＪＵＤ１との和を、基準値ＶＨＵＭＤ＿ＲＥＦとして設定した（ステップ４９）後、図５のステップ５０以降に進む。また、ステップ４８の実行により立上がり確定フラグＦ＿ＨＵＭＬ２Ｈが「１」にセットされた後には、前記ステップ４５の答はＹＥＳになり、その場合にはステップ５０以降に直接、進む。
【００３５】
このステップ５０では、カウンタＣ＿ＪＵＤをインクリメントする。次いで、そのカウント値が所定値ＮＤＴ２（図６の所定時間Δｔ２（例えば１秒）相当）を上回ったか否かを判別し（ステップ５１）、その答がＮＯのときには、本プログラムを終了する。
【００３６】
一方、ステップ５１の答がＹＥＳで、Ｃ＿ＪＵＤ＞ＮＤＴ２のとき、すなわち相対湿度ＶＨＵＭＤの立上がりの確定後、所定時間Δｔ２が経過したとき（図６の時刻ｔ３）には、そのときの相対湿度ＶＨＵＭＤと前記ステップ４９で設定した基準値ＶＨＵＭＤ＿ＲＥＦとの差（＝ＶＨＵＭＤ−ＶＨＵＭＤ＿ＲＥＦ）（変化状態パラメータ）が、前記ステップ３６で設定した劣化判定値ＶＨＵＭＤ＿ＪＵＤ２との和よりも大きいか否かを判別する（ステップ５２）。
【００３７】
このステップ５２の答がＹＥＳのとき、すなわち相対湿度ＶＨＵＭＤの立上がり後、所定時間Δｔ２の間において、相対湿度ＶＨＵＭＤが、劣化判定値ＶＨＵＭＤ＿ＪＵＤ２を上回って上昇しているときには、相対湿度ＶＨＵＭＤの変化速度が速く、湿度センサ２２の応答性が良好に保たれているとして、湿度センサ２２が劣化していないと判定し、そのことを表すために、劣化フラグＦ＿ＳＮＳＤＴを「０」にセットする（ステップ５３）。
【００３８】
一方、ステップ５２の答がＮＯのとき、すなわち所定時間Δｔ２の間における相対湿度ＶＨＵＭＤの上昇量が、劣化判定値ＶＨＵＭＤ＿ＪＵＤ２以下のときには、相対湿度ＶＨＵＭＤの変化速度が遅く、湿度センサ２２の応答性が低下しているとして、湿度センサ２２が劣化していると判定し、劣化フラグＦ＿ＳＮＳＤＴを「１」にセットする（ステップ５４）。
【００３９】
ステップ５３または５４に続くステップ５５では、湿度センサ２２の劣化判定が終了したことを受けて、劣化判定許可フラグＦ＿ＭＣＮＤＳＮＳを「０」にセットし、本プログラムを終了する。
【００４０】
以上説明したように、本実施形態によれば、エンジン１の始動後、吸着材１６による吸着中にその下流側の排気ガスの湿度が上昇している状態で、湿度センサ２２により検出された相対湿度ＶＨＵＭＤに基づき、この間の所定時間Δｔ２における相対湿度ＶＨＵＭＤの上昇量（ＶＨＵＭＤ−ＶＨＵＭＤ＿ＲＥＦ）を、劣化判定値ＶＨＵＭＤ＿ＪＵＤ２と比較するので、湿度センサ２２の応答性の劣化を含む状態を、適切に精度良く判定することができる。また、その判定結果に応じて、吸着材１６の劣化判定を適切に行うことができる。
【００４１】
また、劣化判定値ＶＨＵＭＤ＿ＪＵＤ２を、湿度センサ２２の劣化前の応答性情報を表すラベル抵抗値Ｒｎに応じて設定するので、湿度センサ２２が個体差として本来的に有する応答性のばらつきを反映させながら、応答性の劣化判定をセンサごとにより精度良く行うことができる。この場合、劣化判定値ＶＨＵＭＤ＿ＪＵＤ２を固定とし、ラベル抵抗値Ｒｎに応じて所定時間Δｔ２を設定してもよく、それによっても同様の効果を得ることができる。
【００４２】
さらに、相対湿度ＶＨＵＭＤが始動後の最小値ＶＨＵＭＤ＿ＭＩＮから立上がり判定値ＶＨＵＭＤ＿ＪＵＤ１分だけ上昇した時点を、相対湿度ＶＨＵＭＤの立上がり時とし、その時点から所定時間Δｔ２を計時するので、相対湿度ＶＨＵＭＤが十分に立ち上がり、安定的に上昇している状態で検出された相対湿度ＶＨＵＭＤを判定に用いることができ、したがって、湿度センサ２２の応答性の劣化判定をさらに精度良く行うことができる。なお、図示しないが、立上がり判定値ＶＨＵＭＤ＿ＪＵＤ１による立上がり確定の判定を省略し、所定時間Δｔ２を最小値ＶＨＵＭＤ＿ＭＩＮの発生時からの時間としてもよい。
【００４３】
図７は、本実施形態の変形例を示している。この例は、湿度センサ２２の検出信号を、センサ素子２２ａの抵抗分圧ＶＲを、変換することなく取り出したものである。このため、抵抗分圧ＶＲは、排気ガスの湿度が低いほどセンサ素子２２ａ抵抗値が大きいことで高い値を示し、すなわち、実施形態の相対湿度ＶＨＵＭＤの場合とは、大小および増減が完全に逆の挙動を示す。したがって、この湿度センサ２２の検出値である抵抗分圧ＶＲに基づき、前述した相対湿度ＶＨＵＭＤの場合とまったく同様の判定を行うことができる。
【００４４】
簡単に説明すると、エンジン１の始動後に、抵抗分圧ＶＲの最大値を更新しながら算出し（時刻ｔ１）、抵抗分圧ＶＲがこの最大値から立下がり判定値ΔＶＲ１だけ低下した時点（時刻ｔ２）を立下がり確定時とし、その時点から所定時間Δｔ２が経過した時点（ｔ３）までの間の抵抗分圧ＶＲの低下量ΔＶＲ２（変化状態パラメータ）を、所定の判定値（判定値）と比較することによって、湿度センサ２２の応答性の劣化を含む状態を、適切に精度良く判定することができる。
【００４５】
なお、本発明は、説明した実施形態に限定されることなく、種々の態様で実施することができる。例えば、実施形態では、基本的に所定時間Δｔ２を固定とし、その間における相対湿度ＶＨＵＭＤの上昇量（ＶＨＵＭＤ−ＶＨＵＭＤ＿ＲＥＦ）や抵抗分圧ＶＲの低下量ΔＶＲ２を、直接の変化状態パラメータとしているが、この関係を逆にしてもよい。すなわち、相対湿度ＶＨＵＭＤの上昇量や抵抗分圧ＶＲの低下量を所定量とするとともに、この所定量に達するのに要した時間を、直接の変化状態パラメータとし、その所定時間と比較するようにしてもよい。
【００４６】
また、実施形態では、湿度センサ２２の検出値の変化状態パラメータとして、所定時間Δｔ２における相対湿度ＶＨＵＭＤの上昇量や抵抗分圧ＶＲの低下量ΔＶＲ２、すなわち検出値の変化速度（平均的傾き）を用いているが、これに代えて、他の適当なパラメータを採用してもよい。例えば、検出値の変化加速度を変化状態パラメータとして随時、算出するとともに、算出した変化加速度の最大値をその判定値と比較するようにしてもよい。その他、細部の構成を、本発明の趣旨の範囲内で適宜、変更することが可能である。
【００４７】
【発明の効果】
以上詳述したように、本発明の湿度センサの状態判定装置は、湿度センサの応答性を含む状態を、センサ自身の検出結果から、精度良く判定することができるなどの効果を有する。
【図面の簡単な説明】
【図１】本発明の一実施形態による湿度センサの状態判定装置を適用した内燃機関を示す構成図である。
【図２】炭化水素吸着装置を拡大して示す断面図である。
【図３】湿度センサの劣化判定の実行判断処理を示すフローチャートである。
【図４】湿度センサの劣化判定処理を示すフローチャートである。
【図５】図４の劣化判定処理の残りの部分を示すフローチャートである。
【図６】本実施形態による劣化判定処理の適用例を示すタイミングチャートである。
【図７】本実施形態の変形例による劣化判定処理の適用例を示すタイミングチャートである。
【図８】ラベル抵抗素子を含む湿度センサの構成を示す図である。
【符号の説明】
１  内燃機関
２  排気系
４  排気管
１６  吸着材
２２  湿度センサ
２３  ラベル抵抗素子（応答性情報）
２５  ＥＣＵ（運転状態判定手段、変化状態パラメータ算出手段、状態判定手段、判定値設定手段）
Ｒｎ  ラベル抵抗値（応答性情報）
ＶＨＵＭＤ  相対湿度（湿度センサの検出値）
ＶＨＵＭＤ−ＶＨＵＭＤ＿ＲＥＦ
相対湿度の上昇量（変化状態パラメータ）
ＶＨＵＭＤ＿ＪＵＤ２
劣化判定値（判定値）
ＶＲ  抵抗分圧（湿度センサの検出値）
ΔＶＲ２  抵抗分圧の低下量（変化状態パラメータ）
【図１】
0004226286.tif 000002
【図２】
0004226286.tif 000003
【図３】
0004226286.tif 000004
【図４】
0004226286.tif 000005
【図５】
0004226286.tif 000006
【図６】
0004226286.tif 000007
【図７】
0004226286.tif 000008
【図８】
0004226286.tif 000009